(57)【要約】【課題】  エステルを揮発性溶剤として用いた自然揮散型ゲル状芳香剤組成物の提供。【解決手段】  脂肪酸塩とその溶剤としてヘキシルアセテートを有効成分として含有することにより、エステルを揮発性溶剤として用い、良好なゲル状体、好ましい芳香、好適な揮散量及び一定な揮散速度を与える自然揮散型ゲル状芳香剤組成物を提供する。【選択図】  図１
2019054897.tif 000002
【特許請求の範囲】
【請求項１】
脂肪酸塩及び前記脂肪酸塩の溶剤としてヘキシルアセテートを含んでなることを特徴とする自然揮散型ゲル状芳香剤組成物。
【請求項２】
前記脂肪酸塩が高級脂肪酸塩であることを特徴とする請求項１に記載の自然揮散型ゲル状芳香剤組成物。
【請求項３】
前記高級脂肪酸塩がステアリン酸ナトリウムであることを特徴とする請求項２に記載の自然揮散型ゲル状芳香剤組成物。
【請求項４】
前記ヘキシルアセテートと共に、香料を含んでなることを特徴とする請求項１から３のいずれかに記載の自然揮散型ゲル状芳香剤組成物。
【請求項５】
前記請求項１から４のいずれかに記載の自然揮散型ゲル状芳香剤組成物を容器に収容してなる自然揮散型ゲル状芳香剤。
【発明の詳細な説明】
【技術分野】
【０００１】
本発明は自然揮散型ゲル状芳香剤組成物及び自然揮散型ゲル状芳香剤に関するものである。
【背景技術】
【０００２】
従来、ゲル状芳香剤には、ゲル化剤の溶剤としてパラフィン系炭化水素、テルペン系炭化水素やアルコール系溶剤が主に用いられてきた。
【先行技術文献】
【特許文献】
【０００３】
【特許文献１】特公昭５７−５０５０２号公報
【特許文献２】特公昭５７−１６８１８号公報
【特許文献３】特公平３−２３０６９号公報
【特許文献４】特公昭６１−８６９６号公報
【特許文献５】特開２０１３−１９２６１１号公報
【特許文献６】特開平７−２９９１２７号公報
【発明の概要】
【発明が解決しようとする課題】
【０００４】
しかし、溶剤として、パラフィン系炭化水素を用いた場合は、溶剤自体が油臭のような異臭を有するため、別途、香料を添加する必要がある（特許文献１及び３）。
【０００５】
また、溶剤として、テルペンを用いた場合は、香料を添加せずともテルペン自体が芳香を有する（特許文献２及び３）が、エッセンシャルオイルとして知られる精油の成分でもあるテルペンは単離が難しく、高価であるという問題もある。
【０００６】
また、溶剤として、アルコール系溶剤を用いた場合は、溶剤自体が特有の異臭を有していることが多く、溶剤そのものを香気成分として用いることができない。また、アルコール系溶剤は揮発性が低く、溶剤と共に混合された香気成分を自然揮散によって揮散させ、自然揮散型ゲル状芳香剤として十分な効果を発揮させることが難しい（特許文献４及び５）。
【０００７】
一方、エステルは、エステル自身が香気成分として用いることができる化合物として知られる。また、エステルはテルペンと比較して安価であり、扱いやすく、安定した供給が可能であるという経済的利点も有する。しかし、自然揮散型のゲル状芳香剤の溶剤として有用なエステルは知られていなかった。
【課題を解決するための手段】
【０００８】
そこで、前記課題を解決する手段としては、以下の通りである。
〔１〕  脂肪酸塩及び前記脂肪酸塩の溶剤としてヘキシルアセテートを含んでなることを特徴とする自然揮散型ゲル状芳香剤組成物。
〔２〕前記脂肪酸塩が高級脂肪酸塩であることを特徴とする〔１〕に記載の自然揮散型ゲル状芳香剤組成物。
〔３〕前記高級脂肪酸塩がステアリン酸ナトリウムであることを特徴とする〔２〕に記載の自然揮散型ゲル状芳香剤組成物。
〔４〕前記ヘキシルアセテートと共に、香料を含んでなることを特徴とする〔１〕から〔３〕のいずれかに記載の自然揮散型ゲル状芳香剤組成物。
〔５〕〔１〕から〔４〕のいずれかに記載の自然揮散型ゲル状芳香剤組成物を容器に収容してなる自然揮散型ゲル状芳香剤。
【０００９】
自然揮散とは、常温・常圧条件下、ファン等の送風装置を用いずとも、静置された状態において、揮発性の物質が蒸発して空間中に広がっていくことを言う。
【００１０】
脂肪酸塩とは、長鎖炭化水素の１価のカルボン酸とアルカリから生成される塩である。また、高級脂肪酸塩とは、脂肪酸塩の中でも、脂肪酸の炭素数が１２個以上のものをいう。
【００１１】
高級脂肪酸塩としては、ステアリン酸ナトリウムの他に、ラウリン酸ナトリウム、ミリスチン酸ナトリウム、パルミチン酸ナトリウム、または、ベヘン酸ナトリウム等を用いることができる。
【００１２】
ゲル状体（ゲル）とは、コロイド溶液、すなわちゾルが流動性を失って弾性を持ち、離液がなく、系全体としてゼリー様の固体状になったものである。
【００１３】
本発明によれば、ヘキシルアセテートを用いることで、エステルを溶剤とした自然揮散型ゲル状芳香剤として適したゲル状体が形成できることを初めて見出した。
【発明の効果】
【００１４】
本発明によれば、エステルであるヘキシルアセテートをゲル化剤である脂肪酸塩の溶剤としてゲル状体を構成し、揮発成分である溶剤自体が香気成分で構成されている自然揮散型ゲル状芳香剤組成物を提供することができる。
【００１５】
また、揮散速度が一定で、ゲル状芳香剤としての使用には好適な揮散速度であるゲル状芳香剤組成物を提供することができる。
【００１６】
さらに、従来の自然揮散型ゲル状芳香剤用組成物よりも、かぐわしい香りを強く発するにも関わらず、他の香料を混合した際の混合された香気成分から感じられる香りに対する嗜好性の低下もなく、より多くの人に好まれる多様な香気成分を有する自然揮散型ゲル状芳香剤組成物を提供することができる。
【図面の簡単な説明】
【００１７】
【図１】実施例１、比較例１、比較例７〜１１について、時間を横軸に示し、表４に表した揮散量[ｇ]を縦軸に示した線グラフ。
【実施例】
【００１８】
以下、試験例などにより本発明をさらに詳しく説明するが、本発明はこれらによりなんら限定されるものではない。なお、本実施例における説明及び表中の各成分の含有量を示す％は重量％で示されているものとする。
【００１９】
（試料の作製）
ステアリン酸ナトリウム、ジブチルヒドロキシトルエン、ポリオキシアルキレンアルキルエーテル及び溶剤を混合し、９０℃まで加熱後、常温の水（イオン交換水）を加え、８０〜９０℃でステアリン酸ナトリウムが完全に溶解するまで攪拌した。香料を添加する場合には、ここで香料を加え、良く攪拌した。その後、容器に充填し、ゲル化を試みた。
【００２０】
なお、酸化防止剤としてジブチルヒドロキシトルエンを添加し、香料やゲルの酸化による劣化を防止する。また、ポリオキシアルキレンアルキルエーテルは、界面活性剤である。
【００２１】
ここで、溶剤をヘキシルアセテートとしたものを実施例１とし、実施例１にアップル香料を加えたものを実施例２とし、実施例１にレモン香料を加えたものを実施例３とした。
また、溶剤をD-リモネンとしたものを比較例１とし、比較例１にアップル香料を加えたものを比較例３とし、比較例１にレモン香料を加えたものを比較例５とした。
また、溶剤をイソパラフィンとしたものを比較例２とし、比較例２にアップル香料を加えたものを比較例４とし、比較例２にレモン香料を加えたものを比較例６とした。
さらに、溶剤をテルピノレンとしたものを比較例７、溶剤をα-ピネンとしたものを比較例８、溶剤をジヒドロミルセノールとしてものを比較例９、溶剤をリナロールとしたものを比較例１０、溶剤をベンジルアルコールとしたものを比較例１１、溶剤をベンジルアセテートとしたものを比較例１２、溶剤をシトラールとしたものを比較例１３、溶剤を２-tert-ブチルシクロヘキシルアセテート（以下、VERDOXという）としたものを比較例１４、溶剤を４-tert-ブチル-１-シクロヘキシルアセテート（以下、P-T-BCHAという）としたものを比較例１５、溶剤をプロピレングリコールジアセテートとしたものを比較例１６とした。
なお、各実施例及び比較例における含有成分をその含有量と共に表１に示す。また、ゲル化の結果について、ゲル化したものは〇とし、ゲル化しなかったものは×として示した。
【００２２】
【表１】
2019054897.tif 000003
【００２３】
表２には、前記アップル香料の含有成分（（ａ））及びレモン香料の含有成分（（ｂ））を示した。
【００２４】
【表２】
2019054897.tif 000004
【００２５】
（ゲル状体形成の可否について）
ヘキシルアセテートを溶剤として用いた実施例１、２及び３については、離液がなく弾性を有する良好なゲル状体が得られた。比較例１〜１１についても、良好なゲル状体が得られた。
【００２６】
ベンジルアセテートを溶剤として用いた比較例１２については、ステアリン酸ナトリウムが溶けなかったため、ゲル化しなかった。
【００２７】
シトラールを溶剤として用いた比較例１３については、非常に柔らかく、離液が確認され、ゲル状芳香剤に適さない形態であった。
【００２８】
VERDOXを溶剤として用いた比較例１４については、ステアリン酸ナトリウムが完全に溶解せず発泡し、離液が確認され、ゲル状芳香剤に適さない形態であった。
【００２９】
P-T-BCHAを溶剤として用いた比較例１５については、ステアリン酸ナトリウムが完全に溶解せず発泡し、離液が確認され、ゲル状芳香剤に適さない形態であった。
【００３０】
本発明と同様、溶剤としてアセテートを用いた発明もある（特許文献６）。しかし、当該発明で使用したプロピレングリコールジアセテートは、香料の揮散調整溶剤として機能するものであり、ヘキシルアセテートがゲル化剤である脂肪酸塩の溶剤として含まれてなる本発明に係るヘキシルアセテートとは用途が異なる。また、本発明と同様の処方でゲル化を試みたが、プロピレングリコールジアセテートを溶剤とした比較例１６の処方については、ステアリン酸ナトリウムが完全に溶解せず発泡し、離液が確認され、ゲルにはならなかった。また、溶剤の臭いはペンキのような塗料に似た溶剤臭であり、臭かった。
【００３１】
溶剤としてアセテートを用いたサンプルは、実施例１、比較例１２、１４、１５及び１６であるが、実施例１以外はゲル状体を形成できなかった。よって、本発明におけるヘキシルアセテートは、自然揮散型ゲル状芳香剤の溶剤としての用途に適し、良好なゲル状体を形成するエステルとして新たに見出されたものである。
【００３２】
（香りの強度と香りの嗜好性についての官能評価）
実施例１〜３及び比較例１〜６について、８名のパネラーによって、下記スコア基準を設けたうえで、香りの強度と嗜好性について官能評価をおこなった。その際、比較例１を３点とし、他のサンプルと比較するためのブランクとした。
【００３３】
（香りの強度と香りの嗜好性の官能評価基準）
香りの強度の官能評価基準については、以下の通りスコアを設定し評価した。
１点：非常に弱い。
２点：弱い。
３点：普通。
４点：強い。
５点：非常に強い。
【００３４】
嗜好性の強度の官能評価基準については、以下の通りスコアを設定し評価した。
１点：非常に不快。
２点：不快。
３点：違和感がない。
４点：好ましい。
５点：非常に好ましい。
【００３５】
表３には、実施例１〜３及び比較例１〜６について、８人のパネラーから得た評価スコアの平均値を示した。
【００３６】
【表３】
2019054897.tif 000005
【００３７】
官能評価の結果については、表１の中の香りの項目にも示したが、その際、ブランク（３点）を基準とし、３点を・、３点を超え４点以下を〇、４点を超え５点以下を◎とし、２点以上３点未満を△、１点以上２点未満を×とした。
【００３８】
（香りの強度と香りの嗜好性の官能評価の結果）
表３から、リモネンを溶剤として用いた比較例１のブランクと比較し、リモネンにレモン香料を添加した比較例５は、香りの強度と香りの嗜好性ともにスコアがブランクと同じであったが、リモネンにアップル香料を添加した比較例３は、香りの強度がブランクよりも０．９点下回り、香りの嗜好性は１．１点下回った。これにより、リモネンには相性の悪い香料があり、香料との組み合わせを考える必要があることが分かった。
【００３９】
また、イソパラフィンを溶剤として用いた比較例２は、香りの強度がブランクよりも１．８点下回り、香りの嗜好性は１．９点下回った。どちらのスコアもブランクより大きく下回っており、イソパラフィン自体が有する特有の油臭がスコアを大きく下げていることが分かる。イソパラフィンにアップル香料を添加した比較例４は、香りの強度がブランクよりも１．０点上回り、香りの嗜好性は１．２点上回っている。一方、イソパラフィンにレモン香料を添加した比較例３は、香りの強度がブランクよりも０．９点下回り、香りの嗜好性は１．１点下回っている。つまり、イソパラフィンにも相性の悪い香料があり、香料との組み合わせを考える必要があることが分かった。
【００４０】
一方、ヘキシルアセテートを溶剤として用いた実施例１は、香りの強度のスコアが、ブランクよりも１．１点上回り、香りの嗜好性も１．１点上回っている。ヘキシルアセテートにアップル香料を添加した実施例２は、香りの強度のスコアが、ブランクよりも１．５点上回り、香りの嗜好性も１．４点上回っている。ヘキシルアセテートにレモン香料を添加した実施例３は、香りの強度のスコアが、ブランクよりも１．０点上回り、香りの嗜好性も０．８点上回っている。
つまり、ヘキシルアセテートを溶剤として用いた実施例１、２及び３は、香りの強度のスコアがブランクよりも１〜１．５点も高く、香りの嗜好性のスコアが０．８〜１．４点も高いことが分かる。よって、ヘキシルアセテートは香料との相性が良く、ヘキシルアセテートを溶剤として用いた実施例１、２及び３は、香りの強度及び嗜好性のどちらも、ブランクよりスコアが高いことが分かった。
【００４１】
表３(ｂ)は、表３(ａ)をスコアが高い順にランキング形式で示したものであるが、(ｂ)の上位に、ヘキシルアセテートを溶剤として用いた実施例１、２及び３が位置していることが見て取れる。
【００４２】
従って、従来からゲル状芳香剤に用いられてきたリモネンを溶剤としたゲル（比較例１、比較例３及び５）やイソパラフィンを溶剤としたゲル（比較例２、比較例４及び６）と比較しても、ヘキシルアセテートを溶剤としたゲルは、香りの強度についても、香りの嗜好性についても、従来型ゲルよりスコアが高く、香料との相性も良いことから、優秀な結果を示したと言える。
【００４３】
表４及び図１には、一定期間にわたり、実施例１、比較例１、比較例７〜１１の揮散量を調べた結果を示した。試験期間は、自然揮散型ゲル状芳香剤の一般的な使用期間である８週間とした。
【００４４】
揮散量は、室温条件・無風状態の下、生成したゲルについて、１週間ごとに電子天秤で重量を測定して得た。なお、揮散試験当初のゲル状体の重量は５０ｇであり、揮散試験に用いた容器は、上端が開放された有底円筒型で無色透明なガラス容器（日本山村硝子株式会社製、外径５３．５ｍｍ、高さ５３ｍｍ、容量８０ｍｌ）である。
【００４５】
【表４】
2019054897.tif 000006
【００４６】
揮散試験の結果については、表１の中の揮散の項目にも示したが、その際、試験期間内における揮散量が試験開始時の５０％以上でかつ揮散速度が一定なものを○、試験期間内における揮散量は試験開始時の５０％以上であるが揮散速度が一定でないものを△、揮散速度は一定であるが試験期間内における揮散量が試験開始時の５０％未満のものを×とした。
【００４７】
（揮散試験の結果）
ヘキシルアセテートを溶剤として用いた実施例１、リモネンを溶剤として用いた比較例１については、ほぼ同様に、一定の揮散量及び揮散速度を示し、安定した揮散傾向を示した。どちらも８週間経過時において約４０ｇの揮散量を示し、これは混合した溶剤の重量とほぼ同程度であった。揮散試験終了時の芳香剤の状態は、試験開始時に比べて体積が収縮し、固く固化した状態であった。
【００４８】
テルピノレンを溶剤として用いた比較例７については、揮散試験開始から４週間に至るまでは、実施例１および比較例１とほぼ同様の揮散状態を示していたが、残りの４週間では揮散量が落ち、最後まで一定した揮散状態とはならなかった。また、試験開始時には透明であったサンプルの色が経時変化し、最後には暗緑色の濁りが発生し外観を損なうものとなった。
【００４９】
α-ピネンを溶剤として用いた比較例８については、初めの４週間で急激に揮散し、固い固形物が残った。残りの４週間では僅かしか揮散せず、全体を通してみると、揮散量の割合は一定ではなかった。
【００５０】
ジヒドロミルセノールを溶剤として用いた比較例９については、試験終了時において溶剤の１７％程度の約７ｇしか揮散しておらず、自然揮散型ゲル状芳香剤組成物としては揮散速度が遅すぎるため不適であった。
【００５１】
リナロールを溶剤として用いた比較例１０については、試験終了時において溶剤の１７％程度の約７ｇしか揮散しておらず、自然揮散型ゲル状芳香剤組成物としては揮散速度が遅すぎるため不適であった。
【００５２】
ベンジルアルコールを溶剤として用いた比較例１１については、試験終了時において溶剤の７％程度の約３ｇしか揮散しておらず、自然揮散型ゲル状芳香剤組成物としては揮散速度が遅すぎるため不適であった。
【００５３】
よって、これらの揮散試験の結果から、ヘキシルアセテートを溶剤として用いた実施例１は、比較例７〜１１と比較し、試験期間全体を通して揮散量が十分であり、また揮散速度も一定していた。なお、従来からゲル状芳香剤として用いられている、リモネンを溶剤とする比較例１と比較しても、ヘキシルアセテートを溶剤として用いた実施例１は、揮散傾向において遜色ないことが分かった。
【産業上の利用可能性】
【００５４】
本発明に係るゲル状芳香剤組成物を自然揮散型ゲル状芳香剤として用いることで、良好なゲル状体、高い香りの強度及び高い香りの嗜好性を有し、ゲルの揮発性溶剤の全てが香気成分で構成されているため無駄がなく、テルペンを溶剤に用いたゲル状芳香剤に比べコストが削減できることから、産業上の利用においてメリットが大きいと言える。
【図１】
2019054897.tif 000007